(57)【要約】  本発明は、画像やテキストなどの情報を投射するプロジェクタ装置を有する電子機器に関し、簡単な構成で、電子機器から離れた位置よりプロジェクタ装置の動作に関して指示できるものである。  この電子機器は、光像形成素子に形成された像を投射するプロジェクタ装置と、プロジェクタ装置による投射範囲を含めて被写体像を撮像し画像信号を出力する撮像装置と、撮像装置による撮像範囲から投射範囲を除いた画像信号の変化を検出する画像変化検出部と、画像変化検出部で変化が検出された撮影範囲内の領域に応じて、プロジェクタ装置および電子機器と電気的に接続された外部機器の動作に関する指示を行う指示部とを備える。【特許請求の範囲】
【請求項１】
電子機器は、
光像形成素子に形成された像を投射するプロジェクタ装置と、
前記プロジェクタ装置による投射範囲を含めて被写体像を撮像し、画像信号を出力する撮像装置と、
前記撮像装置による撮影範囲から前記投射範囲を除いた前記画像信号の変化を検出する画像変化検出部と、
前記画像変化検出部で変化が検出された前記撮影範囲内の領域に応じて、前記プロジェクタ装置および前記電子機器と電気的に接続された外部機器の動作に関する指示を行う指示部とを備える。
【請求項２】
請求項１に記載の電子機器において、
さらに、当該電子機器と電気的に接続された外部装置の出力する外部信号を受信する受信部を有し、
前記指示部は、前記画像変化検出部で前記画像信号の変化が検出された場合に、当該変化に基づく前記指示が有効か否かについて、当該受信部を介して前記外部信号が受信されているか否かに応じて判断する。
【請求項３】
請求項２に記載の電子機器において、
前記画像変化検出部は、前記撮影範囲内の上下左右部のいずれかに位置する少なくとも１つの所定領域、および前記撮影範囲の４つの角部のいずれかに位置する少なくとも１つの所定領域のいずれかで前記画像信号の変化を検出し、
前記指示部は、前記所定領域ごとにあらかじめ与えられているコマンドの内容を指示する。
【請求項４】
請求項３に記載の電子機器において、
前記指示部は、前記画像変化検出部で検出された前記画像信号の変化が所定時間継続された場合に前記コマンドの内容を指示する。
【請求項５】
請求項３または４に記載の電子機器において、
前記画像変化検出部は、前記プロジェクタ装置で投射されるコンテンツに応じて前記画像信号の変化を検出する領域を異ならせる。
【請求項６】
請求項３または４に記載の電子機器において、
前記指示部は、前記画像変化検出部によって同一の前記所定領域において前記画像信号の変化が検出された際に、前記プロジェクタ装置で投射されるコンテンツに応じて前記指示するコマンドの内容を異ならせる。
【請求項７】
請求項１に記載の電子機器において、
前記指示部が指示する内容と前記画像変化検出部で変化が検出される領域との対応づけを示す情報を前記プロジェクタ装置に投影させる制御部をさらに備える。
【請求項８】
請求項１に記載の電子機器において、
前記指示部が指示する内容と前記画像変化検出部で変化が検出される領域との対応づけを示す情報を表示する表示装置をさらに備える。
【請求項９】
電子機器は、
被写体像を撮像して画像信号を出力する撮像装置と、
光像形成素子に形成された像を投射するプロジェクタ装置と、
前記画像信号から焦点評価情報を演算する焦点評価情報演算部と、
前記焦点評価情報演算部により演算された焦点評価情報の変化を検出する焦点評価情報変化検出部と、
前記撮像装置による撮影範囲のうち、前記焦点評価情報の変化が検出された領域に応じて、前記プロジェクタ装置の動作に関する指示を行う指示部とを備える。
【請求項１０】
請求項９に記載の電子機器において、
前記撮像装置による撮影範囲は前記プロジェクタ装置による投射範囲と略等しい、もしくは前記投射範囲を含む。
【請求項１１】
請求項１０に記載の電子機器において、
前記焦点評価情報演算部は、前記撮影範囲内の上下左右部のいずれかに位置する少なくとも１つの所定領域、および前記撮影範囲の４つの角部のいずれかに位置する少なくとも１つの所定領域のいずれかで前記焦点評価情報を演算し、
前記指示部は、前記所定領域ごとにあらかじめ与えられているコマンドの内容を指示する。
【請求項１２】
請求項１１に記載の電子機器において、
前記指示部は、前記焦点評価情報変化検出部で検出された前記焦点評価情報の変化が所定時間継続された場合に前記コマンドの内容を指示する。
【請求項１３】
請求項１１または１２に記載の電子機器において、
前記焦点評価情報演算部は、前記プロジェクタ装置で投射されるコンテンツに応じて前記焦点評価情報を演算する領域を異ならせる。
【請求項１４】
請求項１１または１２に記載の電子機器において、
前記指示部は、前記焦点評価情報変化検出部によって同一の前記所定領域において前記焦点評価情報の変化が検出された際に、前記プロジェクタ装置で投射されるコンテンツに応じて前記指示するコマンドの内容を異ならせる。
【請求項１５】
請求項９に記載の電子機器において、
前記指示部が指示する内容と前記焦点評価情報変化検出部で変化が検出される領域との対応づけを示す情報を前記プロジェクタ装置に投影させる制御部をさらに備える。
【請求項１６】
請求項９に記載の電子機器において、
前記指示部が指示する内容と前記焦点評価情報変化検出部で変化が検出される領域との対応づけを示す情報を表示する表示装置をさらに備える。
【請求項１７】
電子機器は、
光像形成素子に形成された像を投射するプロジェクタ装置と、
被写体像を撮像して画像信号を出力する撮像装置と、
前記撮像装置から出力される画像信号の変化を検出する画像変化検出部と、
焦点評価情報を取得する焦点評価情報取得部と、
前記焦点評価情報取得部で取得される焦点評価情報の変化を検出する焦点評価情報変化検出部と、
前記画像信号の変化に基づいて、前記プロジェクタ装置の動作に関する指示を行う第１の指示部と、
前記焦点評価情報の変化に基づいて、前記プロジェクタ装置の動作に関する指示を行う第２の指示部と、
前記プロジェクタ装置で投射されるコンテンツに応じて前記第１の指示部および前記第２の指示部のいずれか一方が指示を行うように制御する制御部とを備える。
【発明の詳細な説明】
【技術分野】
【０００１】
本発明は、画像やテキストなどの情報を投射するプロジェクタ装置を有する電子機器に関する。
【背景技術】
【０００２】
スクリーンなどに画像などを投射するプロジェクタ装置に対し、投射内容を次の画像に進める、投射内容にアンダーラインを引く、投射内容をズーミングするなどの指示をプロジェクタ装置から離れた位置より行うプレゼンテーションシステムが知られている（特許文献１参照）。特許文献１には、投射されているプレゼンテーション画像上にレーザポインタでレーザビームを投射し、投射されているプレゼンテーション画像およびレーザスポットを電子カメラを用いて１０フレーム／１秒のフレームレートで撮像し、撮像した画像から判定されるレーザスポットの動き、位置に基づいて指示内容を特定する技術が開示されている。【０００３】
【特許文献１】特開２００１−１２５７３８号号公報
【発明の開示】
【発明が解決しようとする課題】
【０００４】
特許文献１に記載の技術では、レーザスポットの軌跡が形成する矢印、ボックスなど幾何学的パターンを識別しなくてはならず、複雑な解析処理を行う必要がある。
【課題を解決するための手段】
【０００５】
本発明の第１の態様によると、電子機器は、光像形成素子に形成された像を投射するプロジェクタ装置と、プロジェクタ装置による投射範囲を含めて被写体像を撮像し、画像信号を出力する撮像装置と、撮像装置による撮影範囲から投射範囲を除いた画像信号の変化を検出する画像変化検出部と、画像変化検出部で変化が検出された撮影範囲内の領域に応じて、プロジェクタ装置および電子機器と電気的に接続された外部機器の動作に関する指示を行う指示部とを備える。
本発明の第２の態様によると、第１の態様の電子機器はさらに、当該電子機器と電気的に接続された外部装置の出力する外部信号を受信する受信部を有してもよい。指示部は、画像変化検出部で画像信号の変化が検出された場合に、当該変化に基づく指示が有効か否かについて、当該受信部を介して外部信号が受信されているか否かに応じて判断するのが好ましい。
本発明の第３の態様によると、第２の態様の電子機器において、画像変化検出部は、撮影範囲内の上下左右部のいずれかに位置する少なくとも１つの所定領域、および撮影範囲の４つの角部のいずれかに位置する少なくとも１つの所定領域のいずれかで画像信号の変化を検出し、指示部は、所定領域ごとにあらかじめ与えられているコマンドの内容を指示するのが好ましい。
本発明の第４の態様によると、第３の態様の電子機器において、指示部は、画像変化検出部で検出された画像信号の変化が所定時間継続された場合にコマンドの内容を指示するのが好ましい。
本発明の第５の態様によると、第３の態様または第４の態様の電子機器において、画像変化検出部は、プロジェクタ装置で投射されるコンテンツに応じて画像信号の変化を検出する領域を異ならせるのが好ましい。
本発明の第６の態様によると、第３の態様または第４の態様の電子機器において、指示部は、画像変化検出部によって同一の所定領域において画像信号の変化が検出された際に、プロジェクタ装置で投射されるコンテンツに応じて指示するコマンドの内容を異ならせるのが好ましい。
本発明の第７の態様によると、第１の態様の電子機器はさらに、指示部が指示する内容と画像変化検出部で変化が検出される領域との対応づけを示す情報をプロジェクタ装置に投影させる制御部を備えるのが好ましい。
本発明の第８の態様によると、第１の態様の電子機器はさらに、指示部が指示する内容と画像変化検出部で変化が検出される領域との対応づけを示す情報を表示する表示装置を備えるのが好ましい。
本発明の第９の態様によると、電子機器は、被写体像を撮像して画像信号を出力する撮像装置と、光像形成素子に形成された像を投射するプロジェクタ装置と、画像信号から焦点評価情報を演算する焦点評価情報演算部と、焦点評価情報演算部により演算された焦点評価情報の変化を検出する焦点評価情報変化検出部と、撮像装置による撮影範囲のうち、焦点評価情報の変化が検出された領域に応じて、プロジェクタ装置の動作に関する指示を行う指示部とを備える。
本発明の第１０の態様によると、第９の態様の電子機器において、撮像装置による撮影範囲はプロジェクタ装置による投射範囲と略等しい、もしくは投射範囲を含むのが好ましい。
本発明の第１１の態様によると、第１０の態様の電子機器において、焦点評価情報演算部は、撮影範囲内の上下左右部のいずれかに位置する少なくとも１つの所定領域、および撮影範囲の４つの角部のいずれかに位置する少なくとも１つの所定領域のいずれかで焦点評価情報を演算し、指示部は、所定領域ごとにあらかじめ与えられているコマンドの内容を指示するのが好ましい。
本発明の第１２の態様によると、第１１の態様の電子機器において、指示部は、焦点評価情報変化検出部で検出された焦点評価情報の変化が所定時間継続された場合にコマンドの内容を指示するのが好ましい。
本発明の第１３の態様によると、第１１の態様または第１２の態様の電子機器において、焦点評価情報演算部は、プロジェクタ装置で投射されるコンテンツに応じて焦点評価情報を演算する領域を異ならせるのが好ましい。
本発明の第１４の態様によると、第１１の態様または第１２の態様の電子機器において、指示部は、焦点評価情報変化検出部によって同一の所定領域において焦点評価情報の変化が検出された際に、プロジェクタ装置で投射されるコンテンツに応じて指示するコマンドの内容を異ならせるのが好ましい。
本発明の第１５の態様によると、第９の態様の電子機器はさらに、指示部が指示する内容と焦点評価情報変化検出部で変化が検出される領域との対応づけを示す情報をプロジェクタ装置に投影させる制御部を備えるのが好ましい。
本発明の第１６の態様によると、第９の態様の電子機器はさらに、指示部が指示する内容と焦点評価情報変化検出部で変化が検出される領域との対応づけを示す情報を表示する表示装置を備えるのが好ましい。
本発明の第１７の態様によると、電子機器は、光像形成素子に形成された像を投射するプロジェクタ装置と、被写体像を撮像して画像信号を出力する撮像装置と、撮像装置から出力される画像信号の変化を検出する画像変化検出部と、焦点評価情報を取得する焦点評価情報取得部と、焦点評価情報取得部で取得される焦点評価情報の変化を検出する焦点評価情報変化検出部と、画像信号の変化に基づいて、プロジェクタ装置の動作に関する指示を行う第１の指示部と、焦点評価情報の変化に基づいて、プロジェクタ装置の動作に関する指示を行う第２の指示部と、プロジェクタ装置で投射されるコンテンツに応じて第１の指示部および第２の指示部のいずれか一方が指示を行うように制御する制御部とを備える。
上記画像変化検出部は、画像変化検出手段と置き換えてもよい。
上記指示部は、指示手段と置き換えてもよい。
上記制御部は、制御手段と置き換えてもよい。
上記焦点評価情報演算部は、焦点評価情報演算手段と置き換えてもよい。
上記焦点評価情報変化検出部は、焦点評価情報変化検出手段と置き換えてもよい。
上記画像変化検出部は、画像変化検出手段と置き換えてもよい。
上記焦点評価情報取得部は、焦点評価情報取得手段と置き換えてもよい。
上記第１の指示部は、第１の指示手段と置き換えてもよい。
上記第２の指示部は、第２の指示手段と置き換えてもよい。
【発明の効果】
【０００６】
本発明は、以上説明したように構成しているので、次のような効果を奏する。
本発明によるプロジェクタ装置を備える電子機器では、簡単な構成で、電子機器から離れた位置よりプロジェクタ装置の動作に関して指示できる。
また、他の発明によれば、簡単な構成で、電子機器から離れた位置よりプロジェクタ装置の動作に関して指示できる。
また、他の発明によれば、撮像装置とプロジェクタ装置とを備える電子機器で、投射コンテンツに応じて、撮像した画像信号の変化に基づいてプロジェクタ装置に関する動作について指示を行ったり、焦点評価情報の変化に基づいて指示を行ったりするので、動画像のように変化する投射コンテンツが投射される場合でも、電子機器から離れた位置より適切に指示することができる。
【図面の簡単な説明】
【０００７】
【図１】本発明の第一の実施形態によるプロジェクタ付き電子カメラの斜視図である。
【図２】図１のプロジェクタ付き電子カメラの構成を説明するブロック図である。
【図３】プロジェクタ付き電子カメラがスクリーンに向けて投射しながら、スクリーンを含む被写体を撮影する図である。
【図４】第一の実施形態における抽出ブロックを説明する図である。
【図５】コマンドテーブルを説明する図である。
【図６】ブロックに対応する空間にかざした手を他のブロックに対応する空間へ移動させる場合を説明する図である。
【図７】投射光束をさえぎるほどに手をかざした場合を説明する図である。
【図８】第二の実施形態における抽出ブロックを説明する図である。
【図９】第三の実施形態における抽出ブロックを説明する図である。
【図１０】第四の実施形態におけるコマンド情報の投射例を説明する図である。
【図１１】コマンド情報投射の変形例を説明する図である。
【図１２】コマンド情報投射の変形例を説明する図である。
【発明を実施するための最良の形態】
【０００８】
以下、図面を参照して本発明を実施するための最良の形態について説明する。
（第一の実施形態）
図１は、本発明の第一の実施形態によるプロジェクタ付き電子カメラの斜視図である。図１において、プロジェクタ付き電子カメラ５０の正面には、撮影レンズ５１と、ファインダ対物窓５２と、フラッシュ光窓５３とが設けられている。プロジェクタ付き電子カメラ５０の上面には、レリーズボタン５４が設けられている。プロジェクタ付き電子カメラ５０の背面には、後述するメイン液晶表示器１１５と、操作部材１１２と、ファインダ接眼窓１２０（図３参照）とが設けられている。【０００９】
プロジェクタ付き電子カメラ５０の側面には、略円筒形状のハウジング５５が±１８０度回動可能な支持部５６で支持され、支持部５６を回動中心にしてハウジング５５が回動自在に構成されている。支持部５６には、回動角がたとえば、１０度ごとに不図示のクリック機構が設けられている。【００１０】
ハウジング５５には後述するプロジェクタモジュールが収容されており、プロジェクタモジュールがスクリーンＳに向けて画像などの情報を投射する。プロジェクタモジュールによる投射方向は、ハウジング５５の回動により鉛直方向に可変に構成されている。ハウジング５５にはさらに、ハウジング５５の回動角を検出する回動角検出手段（たとえばスイッチ）が備えられている。【００１１】
図２は、図１のプロジェクタ付き電子カメラ５０の構成を説明するブロック図である。図２において、プロジェクタ付き電子カメラ５０には撮像部２００と、プロジェクタモジュール６と、ＣＰＵ１０１と、メモリ１０２と、姿勢センサ１０３と、外部インターフェイス（Ｉ／Ｆ）１０８と、電源１０９と、操作部材１１２と、スピーカー１１３と、回動角スイッチ（ＳＷ）１１４と、メイン液晶表示器１１５と、マイク１０７とが備えられ、着脱可能なメモリカード１０５が実装されている。【００１２】
ＣＰＵ１０１は、制御プログラムに基づいて、プロジェクタ付き電子カメラ５０を構成する各部から入力される信号を用いて所定の演算を行うなどして、プロジェクタ付き電子カメラ５０の各部に対する制御信号を送出することにより、カメラ動作、およびプロジェクタ動作をそれぞれ制御する。なお、制御プログラムはＣＰＵ１０１内の不図示の不揮発性メモリに格納されている。【００１３】
メモリ１０２はＣＰＵ１０１の作業用メモリとして使用される。姿勢センサ１０３は、プロジェクタ付き電子カメラ５０の姿勢を検出し、検出信号をＣＰＵ１０１へ送出する。これによりＣＰＵ１０１は、撮影時に画像の天地を示す天地情報（縦位置撮影および横位置撮影の識別情報を含む）を取得する。【００１４】
メモリカード１０５は不揮発性メモリによって構成され、ＣＰＵ１０１の指令によりデータの書き込み、保存および読み出しが可能である。【００１５】
マイク１０７は、集音した音声を電気信号に変換してＣＰＵ１０１へ送出する。音声信号は、録音時にメモリカード１０５に記録される。外部インターフェイス１０８は、ＣＰＵ１０１の指令により不図示のケーブルまたはクレードル等を介して電気的に接続された外部機器との間でデータを送受信する。なお、外部機器との間のデータの送受信は、無線で行うものであってもよい。この場合、外部インターフェイス１０８は、アンテナ、電力増幅器等を含む。【００１６】
スピーカー１１３は、ＣＰＵ１０１から出力された音声信号による音声を再生する。操作部材１１２は、押下されたボタンに対応する操作信号をＣＰＵ１０１へ送出する。【００１７】
電源１０９は、たとえば、着脱可能な電池パックおよびＤＣ／ＤＣ変換回路などで構成され、プロジェクタ付き電子カメラ５０内の各部に必要な電力を供給する。回動角ＳＷ１１４は、支持部５６の回動角を検出する。回動角ＳＷ１１４は、プロジェクタモジュール６による投射光束をプロジェクタ付き電子カメラ５０の前面側へ射出する回動角を検出するとオン信号（Ｈレベル）を出力し、投射光束をプロジェクタ付き電子カメラ５０の前面側以外へ射出する回動角を検出した場合にはオフ信号（Ｌレベル）を出力する。【００１８】
メイン液晶表示器１１５は、ＣＰＵ１０１の指令により画像やテキストなどの情報を表示する。テキスト情報は、プロジェクタ付き電子カメラ５０の動作状態、操作メニュー、投射するワークシートの内容などである。【００１９】
撮像部２００は、撮影レンズ５１と、イメージセンサ２０１と、レンズ駆動部（回路）２０２と、撮像部制御ＣＰＵ２０３と、画像処理回路２０７とを有する。イメージセンサ２０１としては、ＣＣＤやＣＭＯＳ撮像素子などが用いられる。撮像部制御ＣＰＵ２０３は、レリーズボタン５４や操作部材１１２の操作に基づいて、ＣＰＵ１０１の指令によりイメージセンサ２０１およびレンズ駆動部２０２を駆動制御するとともに、画像処理回路２０７に所定の画像処理を行わせる。画像処理回路２０７は画像変化検出回路２０８を含み、イメージセンサ２０１から出力される蓄積電荷信号に対するホワイトバランス処理、ガンマ処理、シェーディング補正処理などを行う他、画像変化検出回路２０８で揺れ補正処理も行う。揺れ補正は、プロジェクタ付き電子カメラ５０を手持ちして撮像部２００で撮影を行う場合に生じる撮影画像の変化（手ぶれによって生じる揺動）を補正するためのものである。【００２０】
レンズ駆動部２０２は、撮像部制御ＣＰＵ２０３からズーム制御信号を受けると、制御信号に応じて撮影レンズ５１を構成するズームレンズ（不図示）をテレ側もしくはワイド側へ駆動する。撮影レンズ５１は、イメージセンサ２０１の撮像面上に被写体像を結像させる。撮像部制御ＣＰＵ２０３はイメージセンサ２０１に撮像を開始させ、撮像終了後にイメージセンサ２０１から蓄積電荷信号を読み出し、所定の信号処理を施した上で画像データとしてＣＰＵ１０１へ送出する。なお、撮影画像を投射する場合には撮像部制御ＣＰＵ２０３からＣＰＵ１０１を経由してプロジェクタモジュール６へ画像データが送出される。ＣＰＵ１０１では、プロジェクタモジュール６で投射される画像データに対して台形歪み補正処理が施される。なお、ＣＰＵ１０１に入力された画像データは、メモリカード１０５に記録可能であるとともに、メモリカード１０５に記録される画像データおよび音声データは、各々プロジェクタモジュール６、メイン液晶表示器１１５、およびスピーカ１１３で再生可能である。【００２１】
プロジェクタモジュール６は、投影レンズ６１と、液晶パネル６２と、ＬＥＤ光源６３と、ＬＥＤ駆動部（回路）６４と、液晶駆動部（回路）６５と、レンズ駆動部６６（回路）とを含む。ＬＥＤ駆動部６４は、ＣＰＵ１０１から出力されるＬＥＤ駆動信号に応じてＬＥＤ光源６３に電流を供給する。ＬＥＤ光源６３は、供給電流に応じた明るさで液晶パネル６２を照明する。【００２２】
液晶駆動部６５は、画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。【００２３】
レンズ駆動部６６は、ＣＰＵ１０１から出力される制御信号に基づいて、投影レンズ６１を光軸に対して直交する方向へ進退駆動する。投影レンズ６１は、液晶パネル６２から射出される光像をスクリーンなどへ向けて投射する。プロジェクタモジュール６は、投射を開始させるための操作信号が操作部材１１２からＣＰＵ１０１に入力され、この操作信号に応じてＣＰＵ１０１が出力する指令を受けると投射を開始する。【００２４】
本発明は、投射中の上記プロジェクタ付き電子カメラ５０に対し、操作者が操作部材１１２を直接操作しなくても、またリモコン送信機（不図示）を用いなくても、投射内容の変更などをプロジェクタ付き電子カメラ５０に指示できるようにしたものである。投射するコンテンツは、たとえば、撮像部２００で撮影してメモリカード１０５に記録されている静止画像や動画像、外部インターフェイス（Ｉ／Ｆ）１０８を介して外部機器から入力される静止画像や動画像（ビデオ映像やＴＶ映像を含む）、外部インターフェイス（Ｉ／Ｆ）１０８を介して外部機器から入力されるワークシート（ビジネス文書、プレゼンテーション用ドキュメント）、およびプロジェクタ付き電子カメラ５０の動作状態を示す情報や操作メニューなどである。【００２５】
第一の実施形態では、図３に例示するように、プロジェクタ付き電子カメラ５０がプロジェクタモジュール６からスクリーンＳに向けて投射しながら、撮像部２００でスクリーンＳを含む被写体を撮影する。プロジェクタ付き電子カメラ５０は、プロジェクタモジュール６の投射を開始する際に操作部材１１２の操作やリモコン送信機の操作によらないで投射内容の変更を指示するモード（以下、コマンド検出モードと呼ぶ）に設定されている場合、ＣＰＵ１０１が撮像部２００に対して連続するフレーム画像の撮像開始を指示する。フレームレートは、たとえば、１０フレーム／秒とする。なお、コマンド検出モードの設定は、メニュー設定もしくは操作部材１１２による操作などによって行われる。【００２６】
図３において、机３０の上にスクリーンＳが載置されている。プロジェクタ付き電子カメラ５０は、その撮影レンズ５１がスクリーンＳを撮影する向きに不図示のテーブル上に載置されている。プロジェクタ付き電子カメラ５０のハウジング５５は、プロジェクタモジュール６がスクリーンＳへ投射する向きに回動されている。プロジェクタモジュール６は、その投射範囲ＰがスクリーンＳの大きさより小さくなるようにズーム調節されている。具体的には、レンズ駆動部６６がＣＰＵ１０１から出力される制御信号に基づいて投影レンズ６１を構成するズームレンズ（不図示）光軸方向へ進退駆動させ、スクリーンＳ上の投射範囲Ｐの大きさを調節する。【００２７】
プロジェクタ付き電子カメラ５０は、撮像範囲Ｃに机３０および机３０上のスクリーンＳを含むように撮影する。撮像部２００は、その撮像範囲Ｃがプロジェクタモジュール６による投射範囲Ｐより広くなるように撮影レンズ５がズーム調節されている。なお、プロジェクタ付き電子カメラ５０の背面に配設されているものは、前述したメイン液晶表示器１１５、操作部材１１２、およびファインダ接眼窓１２０である。【００２８】
プロジェクタ付き電子カメラ５０が行うコマンド検出処理の詳細について説明する。プロジェクタ付き電子カメラ５０は、撮影画像から得られた動き情報に基づいて撮像部２００の撮影画像位置を補正する公知の手ぶれ補正の際に動き情報の抽出に用いる画像変化検出回路２０８をコマンド検出のために利用する。図３に例示する構成において、コマンド検出モードに設定されているプロジェクタ付き電子カメラ５０のイメージセンサ２０１から出力され、画像処理回路２０７で信号処理された１フレームごとの画像データは、画像変化検出回路２０８へ逐次入力される。画像変化検出回路２０８は、入力された１フレーム画像の中のあらかじめ定められている所定領域から複数ブロック（たとえば、４ブロック）を抽出する。【００２９】
図４は、第一の実施形態における抽出ブロックを説明する図である。４つのブロックは、撮像範囲Ｃから投射範囲Ｐを除いた領域のうち、投射範囲Ｐの上部に位置するブロックＵＣと、投射範囲Ｐの下部に位置するブロックＤＣと、投射範囲Ｐの左部に位置するブロックＬＣと、投射範囲Ｐの右部に位置するブロックＲＣとで構成される。４つのブロックＵＣ、ＤＣ、ＬＣおよびＲＣでは、図３に示したようにスクリーンＳの枠や机３０などの静止物が撮像される。【００３０】
画像変化検出回路２０８は、抽出した４ブロックの画像のそれぞれについて、前フレーム画像から同様に得られている４ブロックの対応する抽出画像と比較し、時間的に連続するフレーム画像間の撮影画像データの差の有無を判定する。プレゼンテーション中の操作者は、スクリーンＳの横で、たとえば、ブロックＲＣに対応する空間に手などをかざす。これにより、新たに撮像されるフレーム画像のブロックＲＣには操作者の手などが含まれるため、前フレーム画像との間に差異が生じる（画像が変化する）。【００３１】
画像変化検出回路２０８は、最新フレーム画像を構成する画像信号と前フレーム画像を構成する画像信号との差異が所定値を超えるブロックを検出すると、その状態が０．５秒以上継続されるかをチェックする。画像変化検出回路２０８は、検出したブロックについて、その後の少なくとも連続する５フレーム分の画像信号について、変化検出前の画像に対して同一ブロック内で継続して変化が発生したと判断された場合には（すなわち、ブロックＲＣにおいて０．５秒以上継続して同一のブロック内で手などが撮影されていれば）、コマンド入力が行われたと判定し、当該ブロックを示す信号を撮像部制御ＣＰＵ２０３へ送出する。ブロックを示す信号を受信した撮像部制御ＣＰＵ２０３は、ＣＰＵ１０１へコマンド検出信号およびブロックを示す信号を送出する。一方、画像変化を検出したブロックについて、その後の連続する４フレームの間に変化検出前の画像に対して同一ブロック内で継続して変化が発生しなかったと判断された場合には（すなわち、ブロックＲＣにおいて０．５秒経過する前に手などが撮影されなくなれば）、コマンド入力が行われていないと判定し、撮像部制御ＣＰＵ２０３へ信号送出を行わない。【００３２】
ＣＰＵ１０１は、コマンド検出信号および検出ブロックを示す信号を受信すると以下のようにコマンド解析を行う。図５は、コマンドテーブルを説明する図である。検出ブロックのそれぞれには、プロジェクタモジュール６が投射中のコンテンツに応じてコマンドが与えられている。図５において、コンテンツは「画像再生」、「スライドショー」、「ＴＶ映像」、「動画再生」、「メニュー」および「ワークシート」に分類されている。検出ブロックは「左」、「右」、「上」、「下」、「左→右」、「右→左」、「上→下」、「下→上」および「上下左右全て」に分類されている。【００３３】
コンテンツの選択は、たとえば、メニュー設定もしくは操作部材１１２による操作などによって行われる。なお、プロジェクタモジュール６が投射を開始する前のメニュー設定は、メイン液晶表示器１１５に表示されるメニュー画面によって行われる。「画像再生」が選択された場合、プロジェクタ付き電子カメラ５０は静止画像を投射する。「スライドショー」が選択された場合、プロジェクタ付き電子カメラ５０はあらかじめ指定されている静止画像を順番に投射する。「ＴＶ映像」が選択された場合、プロジェクタ付き電子カメラ５０は外部機器から入力されるビデオ映像やＴＶ映像を投射する。「動画再生」が選択された場合、プロジェクタ付き電子カメラ５０は動画像を投射する。「メニュー」が選択された場合、プロジェクタ付き電子カメラ５０は操作メニューを投射する。「ワークシート」が選択された場合、プロジェクタ付き電子カメラ５０は外部機器から入力されるビジネス文書、ドキュメント類を投射する。【００３４】
検出ブロックの「左」は、図４のブロックＬＣについてのコマンド入力を表す。検出ブロックの「右」は、図４のブロックＲＣについてのコマンド入力を表す。検出ブロックの「上」は、図４のブロックＵＣについてのコマンド入力を表す。検出ブロックの「下」は、図４のブロックＤＣについてのコマンド入力を表す。検出ブロックの「左→右」は、ブロックＬＣについてのコマンド入力に続けて０．５秒以内にブロックＲＣについてのコマンド入力が行われた場合を表す。このコマンド入力は、図６に示すように、プレゼンテーション中の操作者がブロックＬＣに対応する空間にかざした手などをブロックＲＣに対応する空間へ移動させた場合に対応する。【００３５】
同様に、検出ブロックの「右→左」は、ブロックＲＣについてのコマンド入力に続けて０．５秒以内にブロックＬＣについてのコマンド入力が行われた場合を表す。検出ブロックの「上→下」は、ブロックＵＣについてのコマンド入力に続けて０．５秒以内にブロックＤＣについてのコマンド入力が行われた場合を表す。検出ブロックの「下→上」は、ブロックＤＣについてのコマンド入力に続けて０．５秒以内にブロックＵＣについてのコマンド入力が行われた場合を表す。【００３６】
検出ブロックの「上下左右全て」は、図４に示す４ブロック全てについて同じ期間にコマンド入力が行われた場合を表す。このコマンド入力は、図７に示すように、プレゼンテーション中の操作者がプロジェクタモジュール６からの投射光束をさえぎるほどに手などをかざし、撮影レンズ５１の撮影画角を手が覆った場合に対応する。【００３７】
図５に例示したコマンドテーブルは、あらかじめＣＰＵ１０１内の不図示の不揮発性メモリ内に格納されている。ＣＰＵ１０１は、コマンド検出信号および検出ブロックを示す信号を受信した場合にコマンドテーブルを参照し、選択されている投射コンテンツに応じてコマンドを決定するように構成される。【００３８】
たとえば、投射コンテンツとして「再生画像」が設定されている状態で検出ブロック「左」を示す信号を受けると、ＣＰＵ１０１はコマンド「前画像」を決定する。この場合のＣＰＵ１０１は、プロジェクタモジュール６に指令（指示）を送り、投射中の画像に代えて１コマ前の画像を投射させる。これとは反対に検出ブロック「右」を示す信号を受けると、ＣＰＵ１０１はコマンド「次画像」を決定する。コマンド「次画像」を決定した場合のＣＰＵ１０１は、プロジェクタモジュール６に指令（指示）を送り、投射中の画像に代えて１コマ後の画像を投射させる。【００３９】
検出ブロック「上」を示す信号を受けたＣＰＵ１０１は、コマンド「音量ＵＰ」を決定し、スピーカーから再生中の音量を所定量大きくするように指示する。検出ブロック「下」を示す信号を受けたＣＰＵ１０１は、コマンド「音量ＤＯＷＮ」を決定し、スピーカーから再生中の音量を所定量小さくするように指示する。【００４０】
検出ブロック「左→右」を示す信号を受けたＣＰＵ１０１は、コマンド「１０枚早送り」を決定し、投射中の画像に代えて１０コマ後の画像を投射するようにプロジェクタモジュール６に指令（指示）を送る。検出ブロック「右→左」を示す信号を受けたＣＰＵ１０１は、コマンド「１０枚早戻し」を決定し、投射中の画像に代えて１０コマ前の画像を投射するようにプロジェクタモジュール６に指令（指示）を送る。【００４１】
検出ブロック「上→下」を示す信号を受けたＣＰＵ１０１は、コマンド「次フォルダ」を決定し、投射中の画像に代えて投射中の画像が記録されているフォルダの次のフォルダに記録されている画像を投射するようにプロジェクタモジュール６に指令（指示）を送る。検出ブロック「下→上」を示す信号を受けたＣＰＵ１０１は、コマンド「前フォルダ」を決定し、投射中の画像に代えて投射中の画像が記録されているフォルダの前のフォルダに記録されている画像を投射するようにプロジェクタモジュール６に指令（指示）を送る。【００４２】
検出ブロックの「上下左右全て」を示す信号を受けたＣＰＵ１０１は、コマンド「再生終了」を決定し、プロジェクタモジュール６に投射中の画像再生を終了するように指示する。なお、図５に示されるような投射コンテンツの選択を、上述と同様の手法によって行う構成としてもよい。【００４３】
以下、設定されている投射コンテンツが「再生画像」と異なる場合のコマンドについて説明する。なお、「再生画像」と共通するコマンドについての説明は省略する。投射コンテンツが「スライドショー」の場合に検出ブロックの「上下左右全て」を示す信号を受けたＣＰＵ１０１は、コマンド「一時停止」を決定し、コマ送りを一時停止するように指示する。一時停止中に「上下左右全て」を示す信号を受けたＣＰＵ１０１は、コマンド「再スタート」を決定し、一時停止中のコマ送りを再開するように指示する。【００４４】
投射コンテンツが「ＴＶ映像」の場合に検出ブロック「左」を示す信号を受けたＣＰＵ１０１は、コマンド「前チャンネル」を決定し、外部機器に対して１つ前の設定チャンネルへ切り換え要求する信号（指示）を送出する。検出ブロック「右」を示す信号を受けたＣＰＵ１０１は、コマンド「次チャンネル」を決定し、外部機器に対して１つ後ろの設定チャンネルへ切り換え要求する信号（指示）を送出する。【００４５】
また、投射コンテンツが「ＴＶ映像」の場合に検出ブロックの「左→右」を示す信号を受けたＣＰＵ１０１は、コマンド「最終チャンネル」を決定し、外部機器に対して最も番号が大きい設定チャンネルへ切り換え要求する信号（指示）を送出する。検出ブロックの「右→左」を示す信号を受けたＣＰＵ１０１は、コマンド「最初のチャンネル」を決定し、外部機器に対して最も番号が小さいチャンネルへ切り換え要求する信号（指示）を送出する。【００４６】
さらに、投射コンテンツが「ＴＶ映像」の場合に検出ブロックの「上→下」を示す信号を受けたＣＰＵ１０１は、コマンド「音声信号ＤＯＷＮ」を決定し、外部機器に対して音声信号レベルを下げるように要求する信号（指示）を送出する。検出ブロックの「下→上」を示す信号を受けたＣＰＵ１０１は、コマンド「音声信号ＵＰ」を決定し、外部機器に対して音声信号レベルを上げるように要求する信号（指示）を送出する。【００４７】
投射コンテンツが「ＴＶ映像」の場合に検出ブロックの「上下左右全て」を示す信号を受けたＣＰＵ１０１は、コマンド「ＴＶＯＦＦ」を決定し、外部機器に対して映像信号および音声信号出力の終了を要求する信号（指示）を送出する。ＣＰＵ１０１は、検出ブロックの「上下左右全て」を示す信号を受けてコマンド「ＴＶＯＮ」を決定し、外部機器に対して映像信号および音声信号出力の開始を要求する信号（指示）を送出してもよい。このように入力されるコマンドは、プロジェクタ付き電子カメラの外部機器を制御するコマンドであってもよい。【００４８】
投射コンテンツが「動画再生」の場合に検出ブロック「左」を示す信号を受けたＣＰＵ１０１は、コマンド「早戻し」を決定し、投射中の動画像のコマ戻しを指示する。検出ブロック「右」を示す信号を受けたＣＰＵ１０１は、コマンド「早送り」を決定し、投射中の動画像のコマ送りを早く行うように指示する。【００４９】
また、投射コンテンツが「動画再生」の場合に検出ブロックの「左→右」を示す信号を受けたＣＰＵ１０１は、コマンド「最後へ早送り」を決定し、投射中の画像に代えて最終コマの画像を投射するようにプロジェクタモジュール６に指令（指示）を送るとともに、コマ送りを一時停止するように指示する。検出ブロックの「右→左」を示す信号を受けたＣＰＵ１０１は、コマンド「スタートに戻る」を決定し、投射中の画像に代えて最初のコマの画像を投射するようにプロジェクタモジュール６に指令（指示）を送るとともに、コマ送りを一時停止するように指示する。【００５０】
さらに、投射コンテンツが「動画再生」の場合に検出ブロックの「上下左右全て」を示す信号を受けたＣＰＵ１０１は、コマンド「一時停止」を決定し、コマ送りを一時停止するように指示する。一時停止中に「上下左右全て」を示す信号を受けたＣＰＵ１０１は、コマンド「再スタート」を決定し、一時停止中のコマ送りを再開するように指示する。【００５１】
投射コンテンツが「メニュー」の場合に検出ブロック「左」を示す信号を受けたＣＰＵ１０１は、コマンド「カーソルを左」を決定し、投射中のメニュー画像においてカーソル位置を左方向へ移動するための信号（指示）をプロジェクタモジュール６へ送出する。検出ブロック「右」を示す信号を受けたＣＰＵ１０１は、コマンド「カーソルを右」を決定し、投射中の画像においてカーソル位置を右方向へ移動するための信号（指示）をプロジェクタモジュール６へ送出する。【００５２】
また、投射コンテンツが「メニュー」の場合に検出ブロック「上」を示す信号を受けたＣＰＵ１０１は、コマンド「カーソルを上」を決定し、投射中のメニュー画像においてカーソル位置を上方向へ移動するための信号（指示）をプロジェクタモジュール６へ送出する。検出ブロック「下」を示す信号を受けたＣＰＵ１０１は、コマンド「カーソルを下」を決定し、投射中の画像においてカーソル位置を下方向へ移動するための信号（指示）をプロジェクタモジュール６へ送出する。【００５３】
さらに、投射コンテンツが「メニュー」の場合に検出ブロックの「左→右」を示す信号を受けたＣＰＵ１０１は、コマンド「スクロール左」を決定し、投射中のメニュー画像を右方向へ移動するための信号（指示）をプロジェクタモジュール６へ送出する。検出ブロックの「右→左」を示す信号を受けたＣＰＵ１０１は、コマンド「スクロール右」を決定し、投射中のメニュー画像を左方向へ移動するための信号（指示）をプロジェクタモジュール６へ送出する。【００５４】
投射コンテンツが「メニュー」の場合に検出ブロックの「上→下」を示す信号を受けたＣＰＵ１０１は、コマンド「スクロール上」を決定し、投射中のメニュー画像を下方向へ移動するための信号（指示）をプロジェクタモジュール６へ送出する。検出ブロックの「下→上」を示す信号を受けたＣＰＵ１０１は、コマンド「スクロール下」を決定し、投射中のメニュー画像を上方向へ移動するための信号（指示）をプロジェクタモジュール６へ送出する。【００５５】
投射コンテンツが「メニュー」の場合に検出ブロックの「上下左右全て」を示す信号を受けたＣＰＵ１０１は、コマンド「決定」を決定し、投射中のメニュー画面でカーソルが示す内容の設定処理を行うように指示を出す。【００５６】
投射コンテンツが「ワークシート」の場合に検出ブロック「左」を示す信号を受けたＣＰＵ１０１は、コマンド「スクロール左」を決定し、投射中のドキュメント画像を右方向へ移動するための信号（指示）をプロジェクタモジュール６へ送出する。検出ブロック「右」を示す信号を受けたＣＰＵ１０１は、コマンド「スクロール右」を決定し、投射中のドキュメント画像を左方向へ移動するための信号（指示）をプロジェクタモジュール６へ送出する。【００５７】
また、投射コンテンツが「ワークシート」の場合に検出ブロック「上」を示す信号を受けたＣＰＵ１０１は、コマンド「スクロール上」を決定し、投射中のドキュメント画像を下方向へ移動するための信号（指示）をプロジェクタモジュール６へ送出する。検出ブロック「下」を示す信号を受けたＣＰＵ１０１は、コマンド「スクロール下」を決定し、投射中のドキュメント画像を上方向へ移動するための信号（指示）をプロジェクタモジュール６へ送出する。【００５８】
さらに、投射コンテンツが「ワークシート」の場合に検出ブロックの「左→右」を示す信号を受けたＣＰＵ１０１は、コマンド「次ページ」を決定し、投射中のドキュメント画像に代えて次ページのドキュメント画像を投射するための信号（指示）をプロジェクタモジュール６へ送出する。検出ブロックの「右→左」を示す信号を受けたＣＰＵ１０１は、コマンド「前ページ」を決定し、投射中のドキュメント画像に代えて前ページのドキュメント画像を投射するための信号（指示）をプロジェクタモジュール６へ送出する。【００５９】
投射コンテンツが「ワークシート」の場合に検出ブロックの「上→下」を示す信号を受けたＣＰＵ１０１は、コマンド「末尾ページ」を決定し、投射中のドキュメント画像に代えて末尾ページのドキュメント画像を投射するための信号（指示）をプロジェクタモジュール６へ送出する。検出ブロックの「下→上」を示す信号を受けたＣＰＵ１０１は、コマンド「先頭ページ」を決定し、投射中のドキュメント画像に代えて先頭ページのドキュメント画像を投射するための信号（指示）をプロジェクタモジュール６へ送出する。【００６０】
投射コンテンツが「ワークシート」の場合に検出ブロックの「上下左右全て」を示す信号を受けたＣＰＵ１０１は、コマンド「終了」を決定し、プロジェクタモジュール６に投射中のドキュメント画像再生を終了するように指示する。【００６１】
なお、投射するコンテンツを構成する画像のアスペクト比が、液晶パネル６２が投射する画像のアスペクト比と異なる場合には、投射画像中に投射コンテンツの情報が存在しない領域（無画部）が生ずる。たとえば、液晶パネル６２が投射する画像のアスペクト比が４：３、投射するコンテンツを構成する画像のアスペクト比が１６：９の場合には、投射画面の上下に無画部が発生する。この無画部を検出ブロックとする構成としてもよい。この場合には、投射するコンテンツを構成する画像のアスペクト比によって、検出ブロックの位置を変更する構成とすればよい。【００６２】
以上説明した第一の実施形態についてまとめる。
（１）プロジェクタ付き電子カメラ５０のプロジェクタモジュール６からスクリーンＳに向けて投射しながら、プロジェクタモジュール６の投射範囲Ｐより広い範囲について、プロジェクタ付き電子カメラ５０の撮像部２００によって連続するフレーム画像の撮影を行う。フレームレートは１０フレーム／秒とする。プロジェクタ付き電子カメラ５０は、プロジェクタモジュール６の投射を開始する際に、操作部材１１２の操作やリモコン送信機の操作によらないで投射内容の変更を指示するコマンド検出モードに設定されている場合、自動的に撮像部２００に対して連続するフレーム画像の撮像開始を指示するようにした。撮像開始が自動的に行われるので、操作が簡略化され使い勝手が向上する。回動角ＳＷ１１４よりオン信号が出力され、プロジェクタモジュール６が投射状態となった場合に、自動的に撮像部２００に対して連続するフレーム画像の撮像開始を指示する構成としても、同様の効果が得られる。【００６３】
（２）撮像部２００による撮像範囲Ｃからプロジェクタモジュール６による投射範囲Ｐを除いた領域のうち、投射範囲Ｐの上部に位置するブロックＵＣと、投射範囲Ｐの下部に位置するブロックＤＣと、投射範囲Ｐの左部に位置するブロックＬＣと、投射範囲Ｐの右部に位置するブロックＲＣとで構成される４つのブロック（抽出ブロック）をコマンド入力用の空間とする。プレゼンテーション中の操作者は、これら４つのブロックのいずれかに対応する空間に手などをかざして入力操作を行う。プロジェクタ付き電子カメラ５０は、新たに撮像されるフレーム画像に手などが含まれることによって生じる画像の変化を検出し、コマンド入力操作が行われたことを判定する。投射範囲Ｐを除いた領域にコマンド入力用の空間を設けたので、投射光束を手などでさえぎることが少なくなり、投射像を観察している人に不快感を与えにくい。また、コマンド入力の有無をスクリーンＳの枠や机３０などの静止物を撮像した画像データを用いて検出するので、プロジェクタモジュール６による投射コンテンツが静止画像であるか動画像（ビデオ映像、ＴＶ映像を含む）であるかにかかわらず、コマンド入力の有無を判定できる。４つのブロックは投射範囲Ｐに対して上下左右の位置にラフに設けたので、プロジェクタ付き電子カメラ５０で厳密な位置検出演算処理を行う必要がない。操作者にとっては、投射範囲Ｐを視標として利用し、手をかざす空間の目安になる。さらに、抽出ブロックについてのみ画像の変化を検出するようにしたので、画像の全域について検出する場合に比べて演算量を少なくすることができる。【００６４】
（３）上記４つのブロック（コマンド入力用の空間）に対応させて、投射コンテンツごとにあらかじめ用意したコマンドをコマンドテーブルに記憶しておき、このコマンドテーブルを参照してコマンドの内容を決定するようにした。したがって、どの投射コンテンツが選択されていても、４つのブロックのうちどのブロックに手がかざされたかを検出すれば、容易にコマンドを決定できる。従来技術と異なり、幾何学的パターンを識別するための複雑な解析処理が不要であるため、簡単な構成で投射内容の変更などをプロジェクタ付き電子カメラ５０に指示できる。【００６５】
（４）コマンド入力用の空間に０．５秒以上継続して手などがかざされた場合にコマンド入力操作が行われたと判定したので、誤って撮影レンズ５１の前に手を出した場合でも、ただちに誤判定してしまうことがない。【００６６】
（変形例１）
上述した説明では、４ブロック全てについて同じ期間に画像信号の変化を検出した場合に「上下左右全て」を判定するようにした。この代わりに、たとえば、イメージセンサ２０１を構成する全画素の７０％以上の画素に対応する画像信号の変化を検出した場合に「上下左右全て」を判定するようにしてもよい。【００６７】
（変形例２）
また、４ブロックのいずれかで画像信号の変化を検出した際に、イメージセンサ２０１を構成する全画素に対応する画像信号の全ての変化が検出された場合には、当該コマンド入力操作を無効にしてもよい。これにより、たとえば、室内照明の点灯時や消灯時などによる誤判定を防止することができる。【００６８】
（変形例３）
さらにまた、撮影レンズ５１が遮光され、イメージセンサ２０１を構成する全画素に対応する画像信号が所定レベル以下になった場合にはプロジェクタモジュール６やプロジェクタ付き電子カメラ５０の電源オフ処理を行うようにしてもよい。【００６９】
（第二の実施形態）
第二の実施形態は、第一の実施形態に比べて、プロジェクタ付き電子カメラ５０の撮像部２００がプロジェクタモジュール６の投射範囲Ｐと略等しい範囲、もしくは投射範囲Ｐより広い範囲について連続するフレーム画像を撮影する点、およびコマンド入力用の空間である４つのブロックの位置が異なる。略等しい範囲とは、撮像範囲Ｃおよび投射範囲Ｐの一方の面積が他方の面積の０．８倍〜１．２倍の範囲にあって、どちらが大きくても構わない状態をいう。図８は、第二の実施形態における抽出ブロックを説明する図である。４つのブロックは、投射範囲Ｐ内上部に位置するブロックＵＰと、投射範囲Ｐ内下部に位置するブロックＤＰと、投射範囲Ｐ内左部に位置するブロックＬＰと、投射範囲Ｐ内右部に位置するブロックＲＰとで構成される。４つのブロックＵＰ、ＤＰ、ＬＰおよびＲＰでは、それぞれ投射像が撮像される。４つのブロックＵＰ、ＤＰ、ＬＰおよびＲＰは、各々少なくともその一部が撮像部２００の撮像範囲に含まれるように設定されている。【００７０】
第二の実施形態では、プロジェクタモジュール６による投射コンテンツとして静止画像（メニュー、ワークシートを含む）のコンテンツの選択を許可し、動画像（ビデオ映像、ＴＶ映像を含む）のコンテンツは選択を禁止する。【００７１】
画像変化検出回路２０８は、同一内容の静止画像が同一の表示形態で連続して投射されている間に、上記４ブロックの画像のそれぞれについて、前フレーム画像から同様に得られている４ブロックの対応する抽出画像と比較し、時間的に連続するフレーム画像間の撮影画像データの差の有無を判定する。スクリーンＳの横でプレゼンテーション中の操作者が各ブロックに対応する空間に手をかざす点、画像変化検出回路２０８が最新フレーム画像を構成する画像信号と前フレーム画像を構成する画像信号との差異を検出してコマンド入力の有無を判定する点、およびＣＰＵ１０１がコマンド解析を行う点は第一の実施形態と同様であるので説明を省略する。一方、ＣＰＵ１０１は、投射画像の表示形態の変更（スクロール、ズームイン、ズームアウト、フェードイン、フェードアウト、投射画像の明るさの変更など）や表示内容の変更などの際には、各ブロックで画像変化検出回路２０８によって画像変化が検出されても、コマンド解析を行わず、コマンド入力がなされたと判断してよい。これによって、コマンド入力を意図としない画像変化によって機器が制御されてしまうことが防止される。【００７２】
以上説明した第二の実施形態についてまとめる。
（１）プロジェクタ付き電子カメラ５０のプロジェクタモジュール６からスクリーンＳに向けて投射しながら、プロジェクタモジュール６の投射範囲Ｐと略等しい、もしくは投射範囲Ｐより広い範囲について、プロジェクタ付き電子カメラ５０の撮像部２００によって連続するフレーム画像の撮影を行う。フレームレートは１０フレーム／秒とする。【００７３】
（２）プロジェクタモジュール６による投射範囲Ｐの中で、上部に位置するブロックＵＰと、下部に位置するブロックＤＰと、左部に位置するブロックＬＰと、右部に位置するブロックＲＰとで構成される４つのブロックをコマンド入力用の空間とする。プレゼンテーション中の操作者は、これら４つのブロックのいずれかに対応する空間に手などをかざして入力操作を行う。プロジェクタ付き電子カメラ５０は、新たに撮像されるフレーム画像に手が含まれることによって生じる画像の変化を検出し、コマンド入力操作が行われたことを判定する。コマンド入力用の空間を投射範囲Ｐ内に設けたので、投射範囲Ｐの周囲が暗いなどの理由によって第一の実施形態でコマンド入力の有無を判定できない場合であっても、コマンド入力の有無を判定できる。【００７４】
（３）ＣＰＵ１０１が動画像のコンテンツ選択を禁止するようにしたので、投射内容の変化をコマンド入力として誤判定することを防止できる。【００７５】
（４）第一の実施形態と同様に、プロジェクタ付き電子カメラ５０で厳密な位置検出演算処理を行う必要がなく、操作者にとっては投射範囲Ｐを手をかざす空間の目安にすることができる。【００７６】
（第三の実施形態）
第三の実施形態は、第一の実施形態および第二の実施形態に比べて、撮像部２００のオートフォーカス（ＡＦ）機能を利用してコマンド入力の有無を判定する点、およびコマンド入力用の空間である４つのブロックの位置が異なる。第三の実施形態では、第一の実施形態と同様に、プロジェクタモジュール６による投射コンテンツとして静止画像（メニュー、ワークシートを含む）および動画像（ビデオ映像、ＴＶ映像を含む）のいずれも選択可能に構成される。【００７７】
撮像部２００で行われるＡＦ（自動焦点検出）動作について説明する。撮像部制御ＣＰＵ２０３は、イメージセンサ２０１から出力され、画像処理回路２０７で信号処理された画像データについて、あらかじめ撮像範囲Ｃ内に定められている所定領域（フォーカス検出エリアと呼ぶ）に対応するデータの高周波数成分を抽出して積算することにより、焦点評価値を得る。この焦点評価値演算は、フォーカス調節を行うために撮影レンズ５１内に設けられている不図示のフォーカスレンズを至近端から∞（無限遠）端に向けて移動させながら行う。これにより、複数のフォーカスレンズ位置に対応して複数の焦点評価値が得られる。【００７８】
焦点評価値は、被写体にピントが合うと被写体像のコントラストが高くなることから大きな値をとり、ピントが外れると被写体像のコントラストが低下することから小さな値をとる。焦点評価値を最大にするフォーカスレンズ位置（合焦位置）は、イメージセンサ２０１によって撮像される少なくとも焦点検出エリアの被写体像のエッジのボケをなくし、画像のコントラストを最大にする位置である。撮像部制御ＣＰＵ２０３は、レンズ駆動部２０２に指令を送り、フォーカスレンズを合焦位置へ移動させる。以上により、被写体に対するフォーカス調節が終了する。【００７９】
第三の実施形態によるプロジェクタ付き電子カメラ５０の撮像部２００は、プロジェクタモジュール６の投射範囲Ｐと略等しい範囲、もしくは投射範囲Ｐより広い範囲について連続するフレーム画像を撮影する。【００８０】
コマンド入力用の空間（抽出ブロック）は、図９に示すように定められる。図９において、４つのブロックは、撮像範囲Ｃ内上部に位置するブロックＵＣｆと、撮像範囲Ｃ内下部に位置するブロックＤＣｆと、撮像範囲Ｃ内左部に位置するブロックＬＣｆと、撮像範囲Ｃ内右部に位置するブロックＲＣｆとで構成される。各ブロックＵＣｆ、ＤＣｆ、ＲＣｆおよびＬＣｆは、その一部に投射範囲Ｐを含んでも含まなくても構わない。【００８１】
コマンド検出モードに設定されている場合の撮像部制御ＣＰＵ２０３は、上記４ブロックの画像のそれぞれについて、たとえば、０．５秒ごとに焦点評価値を繰り返し演算し、焦点評価値の変化の有無を判定する。各ブロックＵＣｆ、ＤＣｆ、ＲＣｆおよびＬＣｆにはそれぞれスクリーンＳの枠が含まれる（投射範囲Ｐの一部を含む場合には投射像も含まれる）ため、スクリーンＳの枠に基づいて得られるコントラスト情報によってフォーカス調節が行われている。本実施形態では、プロジェクタ付き電子カメラ５０およびスクリーンＳ間の距離は変わらないので、各ブロックで算出される焦点評価値はそれぞれのブロックにおいてほぼ一定値となる。【００８２】
この状態で、プレゼンテーション中の操作者が、たとえば、ブロックＲＣｆに対応する空間に手をかざすと、ブロックＲＣｆに対応する焦点評価値が変化する。撮像部制御ＣＰＵ２０３は、焦点評価値が所定値を超えて変化したブロックを検出すると、その状態が０．５秒後も継続されるか否かをチェックする。撮像部制御ＣＰＵ２０３は、検出したブロックについて、０．５秒後に演算された焦点評価値が変化したままであれば（すなわち、ブロックＲＣｆにおいて０．５秒以上継続して手がかざされていれば）、コマンド入力が行われたと判定し、ＣＰＵ１０１へコマンド検出信号および当該ブロックを示す信号を送出する。一方、検出したブロックについて、０．５秒後に演算された焦点評価値が元に戻っていれば（すなわち、ブロックＲＣｆにおいて０．５秒経過する前に手がかざされなくなれば）、コマンド入力が行われていないと判定する。上記のような構成とすれば、４つのブロックが投射範囲Ｐを含み、投射コンテンツとして動画像が投射されている場合であっても、投射されている動画像の時間的な変化による焦点評価値の変化よりも、ブロックに手をかざすことによる焦点評価値の変化の方が大きいので、焦点評価値を所定の基準値と比較することで、手がかざされたか否かの判断を行うことができる。【００８３】
撮像部制御ＣＰＵ２０３からコマンド検出信号および検出ブロックを示す信号を受けたＣＰＵ１０１がコマンド解析を行う点は、第一の実施形態および第二の実施形態と同様であるので説明を省略する。【００８４】
以上説明した第三の実施形態についてまとめる。
（１）プロジェクタ付き電子カメラ５０のプロジェクタモジュール６からスクリーンＳに向けて投射しながら、プロジェクタモジュール６の投射範囲Ｐと略等しい、もしくは投射範囲Ｐより広い範囲について、プロジェクタ付き電子カメラ５０の撮像部２００によって連続するフレーム画像の撮影を行い、連続的に各ブロック毎の焦点評価値を演算する。焦点評価値の演算の周期は２フレーム／秒とする。【００８５】
（２）撮像部２００による撮像範囲Ｃの中で、上部に位置するブロックＵＣｆと、下部に位置するブロックＤＣｆと、左部に位置するブロックＬＣｆと、右部に位置するブロックＲＣｆとで構成される４つのブロックをコマンド入力用の空間とする。プレゼンテーション中の操作者は、これら４つのブロックのいずれかに対応する空間に手などをかざして入力操作を行う。プロジェクタ付き電子カメラ５０は、新たに撮像されるフレーム画像に手が含まれることによって生じるブロック内の焦点評価値の変化を検出し、コマンド入力操作が行われたことを判定するので、プロジェクタモジュール６による投射コンテンツが静止画像であるか動画像（ビデオ映像、ＴＶ映像を含む）であるかにかかわらず、コマンド入力の有無を判定できる。【００８６】
（３）第一の実施形態、第二の実施形態と同様に、プロジェクタ付き電子カメラ５０で厳密な位置検出演算処理を行う必要がなく、操作者にとっては投射範囲Ｐを手をかざす空間の目安にすることができる。【００８７】
（変形例４）
上述した第三の実施形態と第二の実施形態とを組み合わせるようにしてもよい。この場合のプロジェクタ付き電子カメラ５０は、静止画像（メニュー、ワークシートを含む）の投射コンテンツが選択された場合に第二の実施形態によるコマンド検出（フレーム間の撮影画像データの差を検出する方式）を行い、動画像（ビデオ映像、ＴＶ映像を含む）の投射コンテンツが選択された場合には第三の実施形態によるコマンド検出（焦点評価値の変化を検出する方式）を行う。これにより、投射されている動画像の動きを画像変化としてとらえ、コマンド入力として誤判定することを防止できるので、投射コンテンツに応じて適切にコマンド入力を行うことができる。【００８８】
（変形例５）
上述した説明では、撮像部２００のイメージセンサ２０１から得られる画像データを用いて、いわゆるコントラスト方式のＡＦ動作を行うことによって焦点評価値の変化を検出し、検出した焦点評価値の変化をコマンド入力有無の判定に用いるようにした。コントラスト方式のＡＦ動作の代わりに、他の方式によるＡＦ動作を行ってもよい。たとえば、特開平９−２７４１３２号公報に開示されている位相差方式のＡＦ動作などを行うことによって焦点評価情報（焦点調節情報）を取得する。この場合には、焦点検出光学系を通過する一対の焦点検出用光束によってラインセンサ上に結ばれる一対の像の相対間隔に基づいて焦点評価情報が取得される。一対の焦点検出用光束は、図９における４つのブロックＵＣｆ、ＤＣｆ、ＬＣｆ，ＲＣｆのそれぞれに対応させて４系統設ける。【００８９】
コマンド検出モードに設定されている場合の撮像部制御ＣＰＵ２０３は、上記４系統の一対の焦点検出用光束が結ぶ一対の像のそれぞれについて、たとえば、０．５秒ごとに相対間隔を繰り返し検出し、相対間隔（すなわち、焦点評価情報）の変化の有無を判定する。プレゼンテーション中の操作者が、たとえば、ブロックＲＣｆに対応する空間に手をかざすと、ブロックＲＣｆに対応する一対の像の相対間隔が変化する。撮像部制御ＣＰＵ２０３は、相対間隔が変化した状態が０．５秒経過後も継続される場合にコマンド入力が行われたと判定する。なお、この場合には、ラインセンサによる撮像結果から焦点評価情報が得られるので、イメージセンサ２０１による撮像動作は必ずしも必要ではない。【００９０】
焦点検出光学系は、撮影レンズの透過光束の一部を利用するものであっても、撮影レンズの透過光以外の光束を利用するもの（いわゆる外光式ＡＦ動作）であってもよい。また、ＡＦ方式は撮像部２００より焦点検出用の赤外光などを投射して焦点評価情報を取得するアクティブＡＦ方式で構成しても、撮像部２００より赤外光などを投射することなく焦点評価情報を取得するパッシブＡＦ方式で構成してもよい。【００９１】
（変形例６）
以上説明した第一の実施形態〜第三の実施形態では、撮像部２００による撮像範囲Ｃの大きさよりプロジェクタモジュール６による投射範囲Ｐの大きさを小さくするか、両者の大きさを略等しくするようにした。いずれの場合も、撮像範囲Ｃの中に投射範囲Ｐが全て（もしくはほぼ全域）が含まれる。この代わりに、撮像範囲Ｃの中に投射範囲Ｐを含まないように投射方向と撮影方向とを設定してもよい。【００９２】
たとえば図３において、プロジェクタモジュール６によるスクリーンＳ上の投射範囲Ｐをそのままに、撮像部２００でスクリーンＳより下の領域を撮像させる。プロジェクタ付き電子カメラ５０のＣＰＵ１０１は、撮像した画像を液晶表示器１１５にモニタ画像表示させる。ＣＰＵ１０１はさらに、図９に示した検出ブロックＵＣｆ、ＤＣｆ、ＲＣｆおよびＬＣｆの範囲を示す表示を液晶表示器１１５に表示中のモニタ画像に重ねてオーバレイ表示させる。操作者は、液晶表示器１１５のモニタ画像を見ながら撮影レンズ５１の前に手をかざし、液晶表示器１１５にオーバレイ表示されている検出ブロックの範囲の中に手が表示されるように手を動かす。【００９３】
プロジェクタ付き電子カメラ５０は、撮像されるフレーム画像に手が含まれることによって生じるブロック内の焦点評価値の変化を検出し、コマンド入力操作が行われたことを判定する。このように、手をかざす空間の視標として投射範囲Ｐを利用しなくても、液晶表示器１１５に表示されるモニタ画像およびオーバレイ表示される検出ブロックの範囲により、操作者は手をかざす空間を知ることができる。【００９４】
また、上記メイン液晶表示器１１５をフリーアングル部材で回動自在に支持するようにしてもよい。フリーアングル部材は、メイン液晶表示器１１５をプロジェクタ付き電子カメラ５０の正面方向に向けたり、背面方向に向けたり、左側面方向に向けたり、右側面方向に向けたり、上面方向および下面方向のいずれの方向に向けることも可能に支持する。このような構成とすることにより、操作者がスクリーンＳの左側に位置しても、右側に位置しても、メイン液晶表示部１１５の表示画面を確認することができる。
構成される。【００９５】
（第四の実施形態）
第四の実施形態のプロジェクタ付き電子カメラ５０は、コマンド入力用の空間（例えば、４つの抽出ブロック）に対応するコマンドを示す情報（制御内容）を、コンテンツ映像とともにプロジェクタモジュール６によってスクリーンＳへ投射する。コマンド情報の投射は、第一の実施形態〜第三の実施形態のいずれと組み合わせて行ってもよい。【００９６】
図１０は、第四の実施形態において投射されるコマンド情報を例示する図である。図１０において、第一の実施形態〜第三の実施形態のいずれかによる投射像にコマンド情報（本例ではテキスト）がオーバーレイ投射されている。投射コンテンツとして「再生画像」が設定されている場合、ＣＰＵ１０１は液晶駆動部６５へ「再生画像」に応じたコンテンツデータとコマンドを示すテキストデータとを送信し、コンテンツ映像に重ねてコマンド情報をオーバーレイ投射させる。図１０において、投射範囲Ｐの上部にコマンド情報「音量ＵＰ」が、投射範囲Ｐの下部にコマンド情報「音量ＤＯＷＮ」が、投射範囲Ｐの左部にコマンド情報「前画像」が、投射範囲Ｐの右部にコマンド情報「次画像」が、それぞれオーバーレイ投射されている。【００９７】
コマンド投射は、４つの抽出ブロックのいずれかにおいて、以下のように所定時間（たとえば、０．１秒）以上画像信号が変化した場合に行われる。画像変化検出回路２０８は、最新フレーム画像を構成する画像信号と前フレーム画像を構成する画像信号との差異が所定値を超えるブロックを検出すると、その状態が０．１秒以上継続されるかをチェックする。画像変化検出回路２０８は、検出したブロックについて、その後少なくとも１フレーム分の画像信号について変化が継続していると判断した場合には（すなわち、当該ブロックにおいて０．１秒以上継続して手が撮影されていれば）、コマンド投射を要求されたと判定し、コマンド投射要求信号を撮像部制御ＣＰＵ２０３へ送出する。コマンド投射要求信号は、撮像部制御ＣＰＵ２０３を経由してＣＰＵ１０１へ送られる。ＣＰＵ１０１は、コマンド投射要求信号に応じて、この時点において設定されている投射コンテンツに応じたコマンドを示すテキストデータを液晶駆動部６５へ送る。これにより、プロジェクタモジュール６からコマンド投射が開始され、コマンド検出モードとして動作する。【００９８】
第一の実施形態と組み合わせてコマンド投射する場合を例にすると、撮像部２００による撮像範囲Ｃからプロジェクタモジュール６による投射範囲Ｐを除いた領域のうち、投射範囲Ｐの上部に位置するブロックＵＣ（図４）と、投射範囲Ｐの下部に位置するブロックＤＣ（図４）と、投射範囲Ｐの左部に位置するブロックＬＣ（図４）と、投射範囲Ｐの右部に位置するブロックＲＣ（図４）とで構成される４つの抽出ブロックがコマンド入力用の空間である。プレゼンテーション中の操作者がこれら４つのブロックのいずれかに対応する空間に一旦手などをかざすことにより、投射範囲Ｐにおいて各抽出ブロックに近接する位置に、それぞれのブロックに対応するコマンド情報が投射される。【００９９】
画像変化検出回路２０８は、図１０に例示したコマンド投射が行われている状態で、第一の実施形態〜第三の実施形態のそれぞれの方式で、上記４ブロックに関してコマンド入力の有無を判定する。コマンド入力の有無を判定した場合の動作は第一の実施形態〜第三の実施形態と同様であるので説明を省略する。【０１００】
一方、ＣＰＵ１０１は、コマンド投射要求信号を受信してから所定時間（たとえば、約８秒）が経過すると、液晶駆動部６５へ指令を送り、コマンドのオーバーレイ投射を終了させ、コンテンツ映像のみを投射する通常の投射状態に戻し、コマンド検出モードを終了する。また、上記のコマンドの表示は、投射コンテンツの表示に重畳されて行われるものであっても、投射しようとするコンテンツは表示せずに、コマンドの表示のみを行うものであってもよい。【０１０１】
以上説明した第四の実施形態についてまとめる。
（１）プロジェクタ付き電子カメラ５０は、プレゼンテーション中の操作者が４つのコマンド入力用の空間（抽出ブロック）のいずれかに対応する空間に所定時間（上記例は０．１秒）以上手などをかざすと、投射範囲Ｐにおいて各抽出ブロックに近接する位置にそれぞれのコマンド情報を投射する。これにより、操作者は、各コマンドの制御内容を忘れてしまっても、操作マニュアルを参照することなく操作することができる。なお、第二の実施形態および第三の実施形態と組み合わせてコマンド投射する場合は、各抽出ブロックに近接する位置でなく、各抽出ブロックの位置にコマンド情報をオーバーレイ投射できるので、抽出ブロックと制御内容との対応関係を、よりわかりやすく投射することができる。【０１０２】
（２）コマンド情報はコンテンツ映像に重ねてオーバーレイ投射するので、コンテンツ映像の投射を中断しなくてもよい。【０１０３】
（３）コマンド情報を投射して所定時間（上記例は８秒）が経過するとコマンド投射を自動的に終了するようにしたので、操作者によって使い勝手がよい。【０１０４】
（変形例７）
図１１は、第四の実施形態においてコマンド情報を投射する他の例を説明する図である。図１１において、第一の実施形態〜第三の実施形態のいずれかによる投射像とコマンド情報とが投射されている。図１０の場合と同様に、投射コンテンツとして「再生画像」が設定されている場合、ＣＰＵ１０１は液晶駆動部６５へ「再生画像」に応じたコンテンツデータとコマンドを示すテキストデータとを送信し、コンテンツ映像とともにコマンド情報を投射させる。図１１によれば、投射範囲Ｐのサイズに比べて縮小したコンテンツ映像が投射され、縮小されたコンテンツ映像の周縁近傍にコマンド情報が投射されている。すなわち、コンテンツ映像の上部にコマンド情報「音量ＵＰ」が、コンテンツ映像の下部にコマンド情報「音量ＤＯＷＮ」が、コンテンツ映像の左部にコマンド情報「前画像」が、コンテンツ映像の右部にコマンド情報「次画像」が、それぞれ投射されている。【０１０５】
上記変形例７によれば、コンテンツ映像を投射範囲Ｐのサイズに比べて縮小投射し、縮小したコンテンツ映像の周縁近傍にコマンド情報を投射するようにしたので、コンテンツ映像の投射を中断しなくてもよい。また、コンテンツ映像とテキスト情報とが重ならないので、コンテンツ映像の色、パターンによって投射されたコマンド情報（テキストなど）が見にくくなることがない。【０１０６】
（変形例８）
図１２は、第四の実施形態においてコマンド情報を投射するさらに他の例を説明する図である。図１２において、第一の実施形態〜第三の実施形態のいずれかによる投射像とコマンド情報とが投射されている。図１０、図１１の場合と同様に、投射コンテンツとして「再生画像」が設定されている場合、ＣＰＵ１０１は液晶駆動部６５へ「再生画像」に応じたコンテンツデータとコマンドを示すテキストデータとを送信し、コンテンツ映像に重ねてコマンド情報をオーバーレイ投射させる。図１２によれば、投射範囲Ｐの中央に、各抽出ブロックに対応するコマンド情報のリストが投射されている。【０１０７】
上記変形例８によれば、コンテンツ映像に重ねて、コマンド情報のリストを投射するようにしたので、コンテンツ映像の投射を中断しなくてもよい。また、テキスト情報を中央にまとめて投射したので、操作者は、投射範囲Ｐの全域を見渡さなくても、全てのコマンド情報を確認することができる。【０１０８】
（変形例９）
変形例６において説明した表示器１１５に表示中のモニタ画像に、コマンド情報をオーバーレイ表示させるようにしてもよい。プロジェクタ付き電子カメラ５０のＣＰＵ１０１は、図９に示した検出ブロックＵＣｆ、ＤＣｆ、ＲＣｆおよびＬＣｆの位置に、各ブロックに対応するコマンド情報をオーバーレイ表示させる。操作者は、液晶表示器１１５のモニタ画像を見ながら撮影レンズ５１の前に手をかざし、液晶表示器１１５にオーバレイ表示されているコマンド情報と重ねて手が表示されるように手を動かす。これにより、操作者は、各コマンドの制御内容を忘れてしまっても、操作マニュアルを参照することなく操作することができる。【０１０９】
（変形例１０）
プレゼンテーションにおいて、発表者（操作者）は、指示棒やレーザポインタなどの外部装置を用いてスクリーンを指し示すことがある。この際に、指示棒やポインタ像が、上述の検出ブロックにかかってしまうことが想定される。このような場合に、ＣＰＵ１０１は、検出ブロックで画像の変化、あるいは焦点状態の変化が検出されても、コマンド入力と判断しない構成とすることが好ましい。この機能を実現する構成について以下に説明する。【０１１０】
指示棒やレーザポインタなどの外部装置には、スクリーン上の投射画像を指示してプレゼンテーションを行うとき（使用時）に操作される操作部材が備えられており、この操作部材が操作されると、指示棒あるいはレーザポインタを使用中であることを示す外部信号が、プロジェクタ付き電子カメラに対して送信される。とくにレーザポインタの場合には、レーザを出射状態に設定するスイッチが、上記の使用時に操作される操作部材を兼用する構成とすることができる。この場合、レーザが出射されている状態で、常に外部信号がプロジェクタ付き電子カメラへ送信される。上記の外部信号の送信形態は、無線であることが望ましい。【０１１１】
プロジェクタ付き電子カメラのＣＰＵ１０１は、外部インターフェイス１０８を介して外部信号を受信する。ＣＰＵ１０１は、この外部信号が受信されているときは、コマンド検出モードであって、検出ブロックで画像の変化、あるいは焦点状態の変化が検出された場合でも、これらの変化は無効であると判断し、当該変化に基づく制御信号の出力（指示）を行わない。このような構成は、上述した全ての実施形態および変形例に適用することができる。このように、外部装置によってコマンド入力を無効とすることが可能な構成とすることにより、指示棒あるいはレーザポインタを使用中であっても、誤ってコマンドが実行されてしまうことがなくなる。さらに、操作者の独自の判断により、上述の手などによるコマンド入力を一時的に中断したいような場合にも、上記構成を適用することができる。【０１１２】
以上説明した各実施形態、変形例の説明では、検出ブロックの位置を撮像範囲Ｃ（投射範囲Ｐ）の上下左右に位置する所定領域の４箇所に設けるようにした。この代わりに、撮像範囲Ｃ（投射範囲Ｐ）の４つの角に位置する所定領域の４箇所に設けてもよい。この場合には、４つの角に位置する所定領域の４箇所に対応させてコマンドをそれぞれ与えておく。【０１１３】
さらにまた、検出ブロックの位置を撮像範囲Ｃ（投射範囲Ｐ）の上下左右に位置する所定領域４箇所と、撮像範囲Ｃ（投射範囲Ｐ）の４つの角に位置する所定領域の４箇所とにそれぞれ設けてもよい。【０１１４】
検出ブロックの位置は、設定されている投射コンテンツによって異ならせてもよい。たとえば、「画像再生」において、撮像範囲Ｃ（投射範囲Ｐ）の上下に位置する所定領域についてを検出ブロックから省いてもよい。この場合には、操作者が撮像範囲Ｃ（投射範囲Ｐ）の上部、もしくは下部に手をかざしたとしても、コマンド入力操作が行われたと判定することはない。【０１１５】
上述したフレームレートの１０フレーム／秒や、早送りおよび早戻し時の１０フレームは一例であり、３０フレーム／秒にしたり、早送りや早戻しを２０フレーム単位で行うようにしてもよい。【０１１６】
プロジェクタモジュール６の構成例として、液晶パネル６２を用いて光像形成素子を構成し、液晶パネル６２による像をＬＥＤ光源６３の光で照明して光像を得る場合を説明したが、自発光式の光像形成素子を用いて構成してもよい。この場合には、画素に対応する点光源を配列して光像形成素子を構成し、画像信号に応じた輝度の光を画素ごとに発光させることにより、光像形成素子が光像を生成する。また、小型ミラーを二次元的に配置し、各々のミラーを回転駆動させることによって空間光変調を行うようなプロジェクタモジュールを構成してもよい。【０１１７】
以上の説明ではプロジェクタモジュール６を電子カメラ５０に搭載する例を説明したが、ノート型パソコン、ＰＤＡ、携帯電話機、再生装置などの電子機器に搭載させてもよい。【０１１８】
以上の説明では種々の実施形態および変形例を説明したが、本発明はこれらの内容に限定されるものではない。本発明の技術的思想の範囲内で考えられるその他の態様も、本発明の範囲内に含まれる。【０１１９】
次の優先権基礎出願の開示内容は引用文としてここに組み込まれる。
日本国特許出願２００４年第２９２３９１号（２００４年１０月５日出願）
【図１】
2006038577.tif 000002
【図２】
2006038577.tif 000003
【図３】
2006038577.tif 000004
【図４】
2006038577.tif 000005
【図５】
2006038577.tif 000006
【図６】
2006038577.tif 000007
【図７】
2006038577.tif 000008
【図８】
2006038577.tif 000009
【図９】
2006038577.tif 000010
【図１０】
2006038577.tif 000011
【図１１】
2006038577.tif 000012
【図１２】
2006038577.tif 000013
【国際調査報告】
2006038577.tif 000014
2006038577.tif 000015
2006038577.tif 000016
2006038577.tif 000017